【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおけるアクセスポイントであって、
前記アクセスポイントがある時間期間にわたって１つまたは複数のワイヤレス局からのパケットの受信を無視するという指示を含んだフレーム制御フィールドを含むメッセージを前記アクセスポイントによって生成するための手段と、
前記アクセスポイントに関連付けられた１つまたは複数のワイヤレス局に前記メッセージを送信するための手段と
を備えるアクセスポイント。
【請求項２】
前記指示は１ビットのデータフィールドを備え、前記指示は、アクセスポイント（ＡＰ）電力管理（ＰＭ）データフィールドを備える、
または、前記指示は、アクセスポイント電力管理要素の存在をさらに指示する、
または、前記メッセージは管理フレームを備え、前記管理フレームは、ビーコンフレーム、ショートビーコンフレーム、アクションフレーム、およびリソース割振りフレームのうちの１つを備える、
または、前記メッセージはＳＩＧビーコンフレームを備える、
または、前記メッセージは、前記アクセスポイントが前記１つまたは複数のワイヤレス局からのパケットの受信を無視する時間量の指示をさらに含む、
または、前記メッセージは、前記ワイヤレスデバイスが、前記アクセスポイントに関連付けられた前記１つまたは複数のワイヤレス局のサブセットである１つまたは複数のワイヤレス局からのパケットの受信を無視するという指示をさらに含む、請求項１に記載のアクセスポイント。
【請求項３】
前記メッセージは、前記アクセスポイントがビーコン間隔またはショートビーコン間隔の特定の部分にわたってアウェイクするという別個の第２の指示をさらに含む、
前記ビーコン間隔または前記ショートビーコン間隔の前記特定の部分は、前記メッセージの送信の直後に続く、
または、前記ビーコン間隔または前記ショートビーコン間隔の前記特定の部分は、あらかじめ定められるまたは確定関数に基づく、請求項１に記載のアクセスポイント。
【請求項４】
前記送信するための手段は、前記アクセスポイントが前記１つまたは複数のワイヤレス局からのパケットの受信を無視する最大持続時間を指示するプローブ応答またはアソシエーション応答メッセージを送信するようにさらに構成される、請求項１に記載のアクセスポイント。
【請求項５】
ワイヤレス通信の方法であって、
アクセスポイントがある時間期間にわたって１つまたは複数のワイヤレス局からのパケットの受信を無視するという指示を含んだフレーム制御フィールドを含むメッセージを前記アクセスポイントによって生成することと、
前記アクセスポイントに関連付けられた１つまたは複数のワイヤレス局に前記メッセージを送信することと
を備える方法。
【請求項６】
前記指示は１ビットのデータフィールドを備え、前記指示は、アクセスポイント電力管理データフィールドを備える、
前記指示は、アクセスポイント電力管理要素の存在をさらに指示する、
または、前記メッセージは管理フレームを備え、前記管理フレームは、ビーコンフレーム、ショートビーコンフレーム、アクションフレーム、およびリソース割振りフレームのうちの１つを備える、
または、前記メッセージはＳＩＧビーコンフレームを備える、
または、前記メッセージは、前記アクセスポイントが前記１つまたは複数のワイヤレス局からのパケットの受信を無視する時間量の指示をさらに含む、
または、前記メッセージは、前記アクセスポイントが、前記アクセスポイントに関連付けられた前記１つまたは複数のワイヤレス局のサブセットである１つまたは複数のワイヤレス局からのパケットの受信を無視することをシグナリングする、請求項５に記載の方法。
【請求項７】
前記メッセージは、前記アクセスポイントがビーコン間隔またはショートビーコン間隔の特定の部分にわたってアウェイクするという別個の第２の指示をさらに含む、
または、前記ビーコン間隔または前記ショートビーコン間隔の前記特定の部分は、前記メッセージの送信の直後に続く、
または、前記ビーコン間隔または前記ショートビーコン間隔の前記特定の部分は、あらかじめ定められるまたは確定関数に基づく、請求項５に記載の方法。
【請求項８】
前記アクセスポイントが前記１つまたは複数のワイヤレス局からのパケットの受信を無視し得る最大持続時間を指示するプローブ応答またはアソシエーション応答メッセージを送信することをさらに備える、請求項５に記載の方法。
【請求項９】
ワイヤレス通信のための方法であって、
ワイヤレスデバイスにおいてアクセスポイントからメッセージを受信することと、前記メッセージは、前記アクセスポイントがビーコン間隔の少なくとも一部分の間、前記ワイヤレスデバイスからのパケットの受信を無視するという指示を含んだフレーム制御フィールドを含む、
前記ビーコン間隔の少なくとも前記部分の間、前記アクセスポイントへの送信を延期することと
を備える方法。
【請求項１０】
前記アクセスポイントが前記ワイヤレスデバイスからのパケットの受信を無視し得る最大持続時間を含んだ第２のメッセージを前記ワイヤレスデバイスにおいて受信することと、少なくとも前記最大持続時間と前記指示とに基づいて、前記アクセスポイントがパケットの受信を無視する前記ビーコン間隔の前記部分を決定することとをさらに備える、
または、前記アクセスポイントがパケットの受信を無視する前記ビーコン間隔の前記部分は、前記ビーコン間隔の最後の部分であり、前記方法は、前記ビーコン間隔の前記最後の部分より前の、前記ビーコン間隔の第１の部分の間に、前記アクセスポイントにパケットを送信することをさらに備える、
または、前記指示は１ビットのデータフィールドを備える、
または、前記メッセージは管理フレームを備え、前記管理フレームは、ビーコンフレーム、ショートビーコンフレーム、アクションフレーム、およびリソース割振りフレームのうちの１つを備える、
または、前記メッセージはＳＩＧビーコンフレームを備える、請求項９に記載の方法。
【請求項１１】
ワイヤレス通信のためのワイヤレスデバイスであって、
前記ワイヤレスデバイスにおいてアクセスポイントからメッセージを受信するための手段と、前記メッセージは、前記アクセスポイントがビーコン間隔の少なくとも一部分の間、前記ワイヤレスデバイスからのパケットの受信を無視するという指示を含んだフレーム制御フィールドを含む、
前記ビーコン間隔の少なくとも一部分の間、前記アクセスポイントへの送信を延期するための手段と
を備えるワイヤレスデバイス。
【請求項１２】
前記受信するための手段は、前記アクセスポイントが前記ワイヤレスデバイスからのパケットの受信を無視する最大持続時間を含んだ第２のメッセージを受信するようにさらに構成され、前記延期するための手段は、少なくとも前記最大持続時間と前記指示とに基づいて、前記アクセスポイントがパケットの受信を無視する前記ビーコン間隔の前記部分を決定するようにさらに構成される、請求項１１に記載のワイヤレスデバイス。
【請求項１３】
前記アクセスポイントがパケットの受信を無視する前記ビーコン間隔の前記部分は、前記ビーコン間隔の最後の部分であり、前記ワイヤレスデバイスは、前記ビーコン間隔の前記最後の部分より前の、前記ビーコン間隔の第１の部分の間に、前記アクセスポイントにパケットを送信するように構成された送信するための手段をさらに備える、請求項１１に記載のワイヤレスデバイス。
【請求項１４】
前記指示は１ビットのデータフィールドを備える、
または、前記メッセージは管理フレームを備え、前記管理フレームは、ビーコンフレーム、ショートビーコンフレーム、アクションフレーム、およびリソース割振りフレームのうちの１つを備える、
または、前記メッセージはＳＩＧビーコンフレームを備える、請求項１１に記載のワイヤレスデバイス。
【請求項１５】
請求項５乃至１０のうちのいずれか一項に記載されたワイヤレス通信のための方法を実施するように構成されたコンピュータ実行可能命令を備える、コンピュータプログラム。
【手続補正２】
【補正対象書類名】明細書
【補正対象項目名】００９１
【補正方法】変更
【補正の内容】
【００９１】
[00102]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］
ワイヤレス通信ネットワークにおけるアクセスポイントであって、
メッセージを生成するように構成されたプロセッサと、前記メッセージは、前記アクセスポイントがある時間期間にわたって１つまたは複数のワイヤレス局からのパケットの受信を無視するという指示を含んだフレーム制御フィールドを含む、
前記プロセッサに接続され、前記アクセスポイントに関連付けられた１つまたは複数のワイヤレス局に前記メッセージを送信するように構成された送信機と
を備えるアクセスポイント。
［Ｃ２］
前記指示は１ビットのデータフィールドを備える、Ｃ１に記載のアクセスポイント。
［Ｃ３］
前記指示は、予約済みデータフィールド、予約済み値を持つデータフィールド、およびアクセスポイント（ＡＰ）電力管理（ＰＭ）データフィールドのうちの少なくとも１つを備える、Ｃ２に記載のアクセスポイント。
［Ｃ４］
前記指示は、アクセスポイント電力管理要素の存在をさらに指示する、Ｃ１に記載のアクセスポイント。
［Ｃ５］
前記メッセージは管理フレームを備える、Ｃ１に記載のアクセスポイント。
［Ｃ６］
前記管理フレームは、ビーコンフレーム、ショートビーコンフレーム、アクションフレーム、およびリソース割振りフレームのうちの１つを備える、Ｃ５に記載のアクセスポイント。
［Ｃ７］
前記メッセージはＳ１Ｇビーコンフレームを備える、Ｃ１に記載のアクセスポイント。
［Ｃ８］
前記メッセージは、前記アクセスポイントが前記１つまたは複数のワイヤレス局からのパケットの受信を無視する時間量の指示をさらに含む、Ｃ１に記載のアクセスポイント。
［Ｃ９］
前記メッセージは、前記ワイヤレスデバイスが、前記アクセスポイントに関連付けられた前記１つまたは複数のワイヤレス局のサブセットである１つまたは複数のワイヤレス局からのパケットの受信を無視するという指示をさらに含む、Ｃ１に記載のアクセスポイント。
［Ｃ１０］
前記メッセージは、前記アクセスポイントがビーコン間隔またはショートビーコン間隔の特定の部分にわたってアウェイクするという指示をさらに含む、Ｃ１に記載のアクセスポイント。
［Ｃ１１］
前記ビーコン間隔または前記ショートビーコン間隔の前記特定の部分は、前記メッセージの送信の直後に続く、Ｃ１０に記載のアクセスポイント。
［Ｃ１２］
前記ビーコン間隔または前記ショートビーコン間隔の前記特定の部分は、あらかじめ定められるまたは確定関数に基づく、Ｃ１０に記載のアクセスポイント。
［Ｃ１３］
前記送信機は、前記アクセスポイントが前記１つまたは複数のワイヤレス局からのパケットの受信を無視する最大持続時間を指示する第２のメッセージを送信するようにさらに構成される、Ｃ１に記載のアクセスポイント。
［Ｃ１４］
ワイヤレス通信の方法であって、
前記アクセスポイントがある時間期間にわたって１つまたは複数のワイヤレス局からのパケットの受信を無視するという指示を含んだフレーム制御フィールドを含むメッセージをアクセスポイントによって生成することと、
前記アクセスポイントに関連付けられた１つまたは複数のワイヤレス局に前記メッセージを送信することと
を備える方法。
［Ｃ１５］
前記指示は１ビットのデータフィールドを備える、Ｃ１４に記載の方法。
［Ｃ１６］
前記指示は、予約済みデータフィールド、予約済み値を持つデータフィールド、およびアクセスポイント電力管理データフィールドのうちの少なくとも１つを備える、Ｃ１５に記載の方法。
［Ｃ１７］
前記指示は、アクセスポイント電力管理要素の存在をさらに指示する、Ｃ１４に記載の方法。
［Ｃ１８］
前記メッセージは管理フレームを備える、Ｃ１４に記載の方法。
［Ｃ１９］
前記管理フレームは、ビーコンフレーム、ショートビーコンフレーム、アクションフレーム、およびリソース割振りフレームのうちの１つを備える、Ｃ１８に記載の方法。
［Ｃ２０］
前記メッセージはＳ１Ｇビーコンフレームを備える、Ｃ１４に記載の方法。
［Ｃ２１］
前記メッセージは、前記アクセスポイントが前記１つまたは複数のワイヤレス局からのパケットの受信を無視する時間量の指示をさらに含む、Ｃ１４に記載の方法。
［Ｃ２２］
前記メッセージは、前記アクセスポイントが、前記アクセスポイントに関連付けられた前記１つまたは複数のワイヤレス局のサブセットである１つまたは複数のワイヤレス局からのパケットの受信を無視することをシグナリングする、Ｃ１４に記載の方法。
［Ｃ２３］
前記メッセージは、前記アクセスポイントがビーコン間隔またはショートビーコン間隔の特定の部分にわたってアウェイクするという指示をさらに含む、Ｃ１４に記載の方法。
［Ｃ２４］
前記ビーコン間隔または前記ショートビーコン間隔の前記特定の部分は、前記メッセージの送信の直後に続く、Ｃ２３に記載の方法。
［Ｃ２５］
前記ビーコン間隔または前記ショートビーコン間隔の前記特定の部分は、あらかじめ定められるまたは確定関数に基づく、Ｃ２３に記載の方法。
［Ｃ２６］
前記アクセスポイントが前記１つまたは複数のワイヤレス局からのパケットの受信を無視し得る最大持続時間を指示する第２のメッセージを送信することをさらに備える、Ｃ１４に記載の方法。
［Ｃ２７］
ワイヤレスネットワーク上のアクセスポイントであって、
前記アクセスポイントがある時間期間にわたって１つまたは複数のワイヤレス局からのパケットの受信を無視するという指示を含んだフレーム制御フィールドを含むメッセージを前記アクセスポイントによって生成するための手段と、
前記アクセスポイントに関連付けられた１つまたは複数のワイヤレス局に前記メッセージを送信するための手段と
を備えるアクセスポイント。
［Ｃ２８］
ワイヤレス通信のための方法を実施するように構成されたコンピュータ実行可能命令を備える非一時的コンピュータ可読記憶媒体であって、前記方法は、
前記アクセスポイントがある時間期間にわたって１つまたは複数のワイヤレス局からのパケットの受信を無視するという指示を含んだフレーム制御フィールドを含むメッセージをアクセスポイントによって生成することと、
前記アクセスポイントに関連付けられた前記１つまたは複数のワイヤレス局に前記メッセージを送信することと
を備える非一時的コンピュータ可読記憶媒体。
［Ｃ２９］
ワイヤレス通信のための方法であって、
ワイヤレスデバイスにおいてアクセスポイントからメッセージを受信することと、前記メッセージは、前記アクセスポイントがビーコン間隔の少なくとも一部分の間、前記ワイヤレスデバイスからのパケットの受信を無視するという指示を含んだフレーム制御フィールドを含む、
前記ビーコン間隔の少なくとも前記部分の間、前記アクセスポイントへの送信を延期することと
を備える方法。
［Ｃ３０］
前記アクセスポイントが前記ワイヤレスデバイスからのパケットの受信を無視し得る最大持続時間を含んだ第２のメッセージを前記ワイヤレスデバイスにおいて受信することと、
少なくとも前記最大持続時間と前記指示とに基づいて、前記アクセスポイントがパケットの受信を無視する前記ビーコン間隔の前記部分を決定することとをさらに備える、Ｃ２９に記載の方法。
［Ｃ３１］
前記アクセスポイントがパケットの受信を無視する前記ビーコン間隔の前記部分は、前記ビーコン間隔の最後の部分である、Ｃ２９に記載の方法。
［Ｃ３２］
前記ビーコン間隔の前記最後の部分より前の、前記ビーコン間隔の第１の部分の間に、前記アクセスポイントにパケットを送信することをさらに備える、Ｃ３１に記載の方法。
［Ｃ３３］
前記指示は１ビットのデータフィールドを備える、Ｃ２９に記載の方法。
［Ｃ３４］
前記メッセージは管理フレームを備える、Ｃ２９に記載の方法。
［Ｃ３５］
前記管理フレームは、ビーコンフレーム、ショートビーコンフレーム、アクションフレーム、およびリソース割振りフレームのうちの１つを備える、Ｃ３４に記載の方法。
［Ｃ３６］
前記メッセージはＳ１Ｇビーコンフレームを備える、Ｃ２９に記載の方法。
［Ｃ３７］
ワイヤレス通信のためのワイヤレスデバイスであって、
アクセスポイントからメッセージを受信するように構成された受信機と、前記メッセージは、前記アクセスポイントがビーコン間隔の少なくとも一部分の間、前記ワイヤレスデバイスからのパケットの受信を無視するという指示を含んだフレーム制御フィールドを含む、
前記ビーコン間隔の少なくとも前記部分の間、前記アクセスポイントへの送信を延期するように構成されたプロセッサと
を備えるワイヤレスデバイス。
［Ｃ３８］
前記受信機は、前記アクセスポイントが前記ワイヤレスデバイスからのパケットの受信を無視する最大持続時間を含んだ第２のメッセージを受信するようにさらに構成され、前記プロセッサは、少なくとも前記最大持続時間と前記指示とに基づいて、前記アクセスポイントがパケットの受信を無視する前記ビーコン間隔の前記部分を決定するようにさらに構成される、Ｃ３７に記載のワイヤレスデバイス。
［Ｃ３９］
前記アクセスポイントがパケットの受信を無視する前記ビーコン間隔の前記部分は、前記ビーコン間隔の最後の部分である、Ｃ３７に記載のワイヤレスデバイス。
［Ｃ４０］
前記ビーコン間隔の前記最後の部分より前の、前記ビーコン間隔の第１の部分の間に、前記アクセスポイントにパケットを送信するように構成された送信機をさらに備える、Ｃ３９に記載のワイヤレスデバイス。
［Ｃ４１］
前記指示は１ビットのデータフィールドを備える、Ｃ３７に記載のワイヤレスデバイス。
［Ｃ４２］
前記メッセージは管理フレームを備える、Ｃ３７に記載のワイヤレスデバイス。
［Ｃ４３］
前記管理フレームは、ビーコンフレーム、ショートビーコンフレーム、アクションフレーム、およびリソース割振りフレームのうちの１つを備える、Ｃ４２に記載のワイヤレスデバイス。
［Ｃ４４］
前記メッセージはＳ１Ｇビーコンフレームを備える、Ｃ３７に記載のワイヤレスデバイス。
［Ｃ４５］
ワイヤレス通信のためのワイヤレスデバイスであって、
ワイヤレスデバイスにおいてアクセスポイントからメッセージを受信するための手段と、前記メッセージは、前記アクセスポイントがビーコン間隔の少なくとも一部分の間、前記ワイヤレスデバイスからのパケットの受信を無視するという指示を含んだフレーム制御フィールドを含む、
前記ビーコン間隔の少なくとも一部分の間、前記アクセスポイントへの送信を延期するための手段と
を備えるワイヤレスデバイス。
［Ｃ４６］
ワイヤレス通信のための方法を実施するように構成されたコンピュータ実行可能命令を備える非一時的コンピュータ可読記憶媒体であって、前記方法は、
ワイヤレスデバイスにおいてアクセスポイントからメッセージを受信することと、前記メッセージは、前記アクセスポイントがビーコン間隔の少なくとも一部分の間、前記ワイヤレスデバイスからのパケットの受信を無視するという指示を含んだフレーム制御フィールドを含む、
前記ビーコン間隔の少なくとも一部分の間、前記アクセスポイントへの送信を延期することと
を備える非一時的コンピュータ可読記憶媒体。